(57)【要約】  本発明は、ベース（６）を含み、自由端にリム（３）を有する弾性タブ（７）がベースから突出し、他のフランジの上部を係止する手段（４、５）を下部に備えたフランジに関する。本発明は、積層またはロール状にフランジをセットする自動装置の供給に有効である。
2005512911.tif 000002
【特許請求の範囲】
【請求項１】
ベース（６）を含んでおり、自由端にリム（３）を有する弾性タブ（７）が前記ベースから突出し、他のフランジの上部を係止する手段（４、９）を下部に備えることを特徴とするフランジ。
【請求項２】
前記係止手段は、内径が前記リム（３）の外装の直径より小さく、下部にひだ（４）を有する不連続のリングまたはリブ（９）からなることを特徴とする特許請求の範囲第１項に記載のフランジ。
【請求項３】
前記ひだ（４）の内径が、前記フランジのタブ（７）の円筒外装（２）の直径とほぼ同じであることを特徴とする特許請求の範囲第２項に記載のフランジ。
【請求項４】
前記リング（９）が、前記タブ（７）のベースに配置されることを特徴とする特許請求の範囲第１項に記載のフランジ。
【請求項５】
前記リング（９）が、前記フランジのベース（６）の下に形成されることを特徴とする特許請求の範囲第２項に記載のフランジ。
【請求項６】
中心（１、２）を含んでおり、前記弾性タブ（７）が、この中心にスリット（５）を決定することを特徴とする特許請求の範囲第１項に記載のフランジ。
【請求項７】
特許請求の範囲第１項から第６項のいずれか一項に記載のフランジを互いに係止して構成することを特徴とするフランジロール。
【発明の詳細な説明】
【技術分野】
【０００１】
本発明は、ＤＶＤ、ＣＤ、ＣＤ−ＲＯＭ等の音響デジタルディスクの支持体にディスクを保持するフランジを目的とし、このフランジは、複数の同じフランジと共に積層可能である。
【背景技術】
【０００２】
こうした情報媒体は、特に、それらを保管したり読取装置に取り付ける中央穴を含んでおり、大部分の場合、この穴の直径が１５ｍｍである。一般大衆に販売する場合、ディスクはケースに収容され、フランジへの係止によりケース内に保持される。通常、フランジは、ベースから突出する幾つかの弾性タブを含んでいる。タブ上端の外側にリムが設けられ、リムの外装の曲線の直径が、ディスクの中央穴の直径よりもわずかに大きいので、ディスクをベースに設置すると、まずタブが中心側に戻されてから、ディスクをはめた後に弾性的に最初の位置に戻り、これによって、ディスクは、取り出し可能にされながら、ベースの所定の位置に保持される。タブの外側の外装は、ディスクの中央穴の直径に対応するように円筒形である。
【０００３】
媒体とフランジとからなるアセンブリは、もともと、ポリスチレン等のプラスチック材料の射出成形により１回の作業で製造されてきた。ところで、特に印刷という実際的な理由から、もともとのプラスチックケースの代わりに、カートンカバーがますます用いられるようになってきているが、フランジは、機械的な品質を理由として依然としてプラスチック材料のままである。こうしたフランジは、一般に、カートンプレートに貼りつけられる。
【０００４】
しかし、当然のことながら、包装コストを削減するために、このようなパッケージは、超高速の自動装置で製造される。
【発明の開示】
【発明が解決しようとする課題】
【０００５】
ここで提起され、本発明により解決される問題は、自動装置へのフランジの供給である。
【０００６】
本発明は、複数のフランジの組立または積層を行うために格納式のタブを使用できるという概念に基づいており、このように構成されたロールは、取り扱いが簡単であって、非常に速いスピードでこれらを個々に取り出し可能にする装置に容易に挿入できる。
【課題を解決するための手段】
【０００７】
本発明によれば、フランジは、ベースを有し、自由端にリムを有する弾性タブが前記ベースから突出し、他のフランジの上部を係止する手段を下部に備えることを特徴とする。
【０００８】
有利には、前記係止手段は、内径がリムの外装の直径より小さく、あるいはぎざぎざ状で、場合によっては不連続な、リングまたはリブからなり、フランジの上部の挿入時に、係止手段が弾性タブを瞬間的に引っ込める。次いで、運動を続けると、リング内部にタブが戻り、他のフランジの底にこのフランジを保持する。
【０００９】
このようにして、１個のフランジの上部を別のフランジの下部に係止して積層またはロールを構成可能であり、この構成物は、容易に取り扱い可能であって、特にカートンへの貼付による任意支持体へのフランジ設置装置に挿入可能である。
【００１０】
本発明の別の特徴によれば、リングの内径が、上部リムまたは上部ヒールの下で、フランジのタブの円筒外装の直径にほぼ等しい。
【００１１】
リングの内径は、ひだの存在により画定できる。
【００１２】
リングは、タブのベースに配置可能であり、小突起が規則正しく配分されたアセンブリとされる。リングは、また、フランジのベースに形成することもできる。
【００１３】
本発明は、また、互いにあるいは上下に係止される上記フランジからなるフランジロールまたは積層をめざしている。
【００１４】
本発明の他の特徴および長所は、添付図面に関して限定的ではなく例としてのみ挙げられた、特定の実施形態の以下の説明から、明らかになるであろう。
【発明を実施するための最良の形態】
【００１５】
図全体において、同じ部材には同じ参照符号を付した。図１では、フランジが、円筒２の頂部に上部プレート１を含んでいることが分かる。この円筒は、ベース６で保持されている。ベース６および上部プレート１は、ほぼ半径方向のスリット５を有する。これらのスリットが、弾性タブ７を画定する。図示された特定の実施形態では、プレート１と、円筒２の側面とが、フランジへのディスクのセンタリング手段を構成し、円筒２の直径は、ディスク（図示せず）の円形穴の直径と同じである。しかし、本発明は、もちろん、こうしたセンタリング手段がない場合にも適用可能であり、その場合、弾性タブだけが、連結リングを構成する。
【００１６】
各タブ７の後方には、丸みを帯びた、または斜角面を有する形状のリム３が設けられている。ディスク（図示せず）の穴の縁の接触により、タブ７の上部がフランジの中心に向かって移動し、円筒２を中心としてディスクが通過する。タブが元の位置に戻るので、ディスクは、ベース６で保持され、ベースは、ディスクの中央リングの支持面を構成する。以上の説明は、従来のフランジに対応する。
【００１７】
本発明によれば、ベース６は、円筒リム１０により任意の支持体に保持される。ベース１０の内部に同軸リングまたは同軸リブ９が形成される。リブ９は、円筒チャンバ１１を形成し、別のフランジのタブ７の上部がここに入る。
【００１８】
本発明によれば、リブ９は、その下部に、中央穴の内部に突出する小突起またはひだ４を有する。下方のフランジのこれらのひだをタブ７が通過すると、タブ７は変形して、リブ９の側面に係止される。もちろん、リブ９の内径は、円筒２の外径に等しく、あるいはやや大きく、それによって、円筒２が、タブ７のリム３以外には大きな摩擦なしに空洞１１に挿入されるようにする。
【００１９】
すなわち、フランジにディスクを取り付ける場合と同様に、下方のフランジの上部を上方のフランジの底に挿入する場合、下方のフランジのタブ７が中心に向かって締め付けられるので、長手方向の側面で組立を行うとき、上方のフランジまたは前のフランジと下方のフランジとを係止することができる。
【００２０】
リング９と円筒リム１０との間に形成される環状チャンバ８は、もちろん、製造時の射出成形後に内部に統合された積層またはロールから当該フランジを分離した後で、任意の媒体への固定接着剤を受容することを特に目的とする。
【００２１】
図２は、例として挙げられた特定のフランジの上面図である。このフランジは、軸方向に回転対称である。「Ｕ字形」の４個のスリットが、４個のタブ７を画定している。この図では、タブ７だけがリム３を有し、リムの外装の直径は、円筒２の外装よりも大きい。しかし、中心に向かって一時的に接近可能にするあらゆるリムまたはヒール３を全てのタブが備えた、任意の数のタブアセンブリによってのみフランジを構成してもよい。
【００２２】
図３は、積層状に重ねられた、それぞれ１個のフランジに属する２個のタブの組立を示す部分断面図である。各タブでは、リム３が、ディスクの厚みにほぼ等しい高さだけ、ベース６の上部で横に突出している。円筒区間２の直径は、ディスクの穴の直径にほぼ対応する。この例では、ひだ４の断面が、ほぼ半円筒形である。ひだの存在により、タブ７は、中心に向かって折り曲げられる。
【００２３】
図４では、ひだ４が斜めに切られ、２個のフランジの組立が容易にされている。
【００２４】
特に同等の技術手段の代替により、そのために本発明の範囲を逸脱することなく、多数の変形実施形態を検討可能であることは自明である。本発明は、特に、非円筒形のフランジに適合させることができる。
【図面の簡単な説明】
【００２５】
【図１】重なった２個のフランジを図２のＩ−Ｉ線に沿って示す断面図である。
【図２】フランジの上面図である。
【図３】弾性タブを互いに係止したところを示す斜視図である。
【図４】係止リングの別の実施形態を示す図である。
【符号の説明】
【００２６】
１  上部プレート
２  円筒
３  リム
４  小突起またはひだ
５  スリット
６  ベース
７  弾性タブ
９  同軸リングまたは同軸リブ
１０  円筒リム
１１  円筒チャンバ
【図１】
2005512911.tif 000003
【図２】
2005512911.tif 000004
【図３】
2005512911.tif 000005
【図４】
2005512911.tif 000006
【国際調査報告】
2005512911.tif 000007
2005512911.tif 000008
2005512911.tif 000009
2005512911.tif 000010
2005512911.tif 000011
2005512911.tif 000012